(57)【要約】      （修正有）【課題】永久磁石のエネルギーを利用、磁石だけのエネルギーで回転動力を起こすこと。【解決手段】円板周囲に永久磁石を縦列に配置固着する。配置数量は偶数で６個設置する。円板は起動板５と称する。起動板５は接続部９を介して、平板歯車３と接続固定する。歯車はネジ歯車を利用、誘導歯車４と接続、噛み合い回転する、起動部分中芯にシャフトで貫通し基板に垂直に設置、上部を固定板１０に固着する。誘導歯車は接続部材を介し誘導板６と接着する。誘導板６に均等に３個の永久磁石２を接着。起動板５に設置の磁石１と１の中間部を回転して通過する。その時点で磁石の引力と反発が発生、起動板５に起動が発生、回転が始まる。なお誘導部分も中芯部をシャフトで貫通、支持柱９に設置するシャフトは水平である。【選択図】図５
2018029462.tif 000002
【特許請求の範囲】
【請求項１】
円板周囲に永久磁石を縦列に配置固着する。配置数量は偶数で６個設置する。円板は起動板５と称する。起動板５は接続部９を介して、平板歯車３と接続固定する。歯車はネジ歯車を利用、誘導歯車４と接続、噛み合い回転する、起動部分中芯にシャフトで貫通し基板に垂直に設置、上部を固定板１０に固着する。誘導歯車は接続部材を介し誘導板６と接着する。誘導板６に均等に３個の永久磁石２を接着。起動板５に設置の磁石１と１の中間部を回転して通過する。その時点で磁石の引力と反発が発生、起動板５に起動が発生、回転が始まる。なお誘導部分も中芯部をシャフトで貫通、支持柱９に設置するシャフトは水平である。図２は誘導のこの状態を表す。誘導磁石２の規制はネジ歯車３と４により成り立つ。
【請求項２】
誘導部分は２基設置する。Ａ基とＢ基と成る。ネジ歯車３と４の接続は一個所であり、Ａ部分とＢ部分は対称に成り接続部分がある。接続部分は支持柱９を中間に設立、シャフトが接着される。接続回転を行うには永久磁石を使用。設定状態で異磁石を対称に設置、磁力で固定接続される磁石の使用で中間の支持柱９の支障なく連結回転が可能。誘導部分の増加により回転は滑らかになり、出力は上昇する。
【発明の詳細な説明】
【技術分野】
【０００１】      永久機関に関する発明である。永久磁石のエネルギーが動力源である。
【背景技術】
【０００２】      従来、本発明は世界で研究発表がある。しかし、夢の発明と云われるが完成品が利用された認識はない。
【先行技術文献】
【０００３】
【特許文献】
【特許文献】特開２００７−１４３３８１  永久磁石モーター
【０００４】
【特許文献】特開２００７−２５９６８４
【発明の概要】
【発明が解決する為の課題】
【０００５】      永久磁石の反発力、引力を利用。中間に誘導部分を設けて、起動を発生、回転を起こして永久磁石動力の完成である。
【課題を解決するための手段】
【０００６】      図１に示す基板１１に補助台を介してシャフトを設置。固定板１０に固着する。上部に円板５を設置する、起動板と称する。起動板の周囲に永久磁石１を縦列に配設置、方向は磁極並びにする。配列数量は６個とする。起動板５の下部に歯車３を、接続部９を介してシャフトを貫通して固着する。図７は、側面姿図省略図である。歯車３はネジ歯車である。歯の角度は４５度である。起動版と歯車は連体と成り回転する。以上、回転部を起動体と称する。
【０００７】      なお起動歯車３と誘導歯車４は接続噛み合い連動する。誘導歯車４はネジ歯車である。歯車４は接続部７を介して誘導板６と接続され連動する。誘導板６は正三角形で、頂点部に誘導磁石２を設置する。なお磁極方向は起動部中芯に向ける。磁石の設置数は３個である。起動磁石の２分の１である。なお誘導部分はシャフトで貫通して支持柱９に装着する。誘導部６の磁石２は、起動板磁石１と１の中間を誘導板６の回転により通過する。その時点で磁石１と１の間で誘導が発生する。磁石の反発と引力によるもので、起動板に回転が生まれるのである。
【０００８】      誘導部６は、２基対称に設置する。誘導板６に３個の誘導磁石２が接着される。起動歯車３は誘導歯車４の歯数、２倍数である。起動体１回転で誘導板２回転であり６回誘導が起きる。なお、誘導部は２基あり１２回の誘導が発生する。誘導部２基は連結され同時に回転する。
【０００９】      図２は誘導と起動の形態を表す。起動磁石１と誘導磁石２と磁場１５の状態の略図である。起動磁石１の磁場１５Ｓ極、誘導磁石２の磁場１５Ｓ極、起動磁石１の磁場Ｎ極がある。この状態で誘導２が十字状に通過する。その時点の誘導で機動力が発生する。回転方向は磁石２の磁極方向で回転方向は左右に変化する。誘導磁石２及び誘導板６は、ネジ歯車の噛み合い連動により規制される。
【００１０】      図３は、各磁石の配置状態、ネジ歯車の交差状態、磁極の配列状態を表示する。図４は誘導磁石の誘導順番を示すもの、数字次第に誘導が発生する。起動板５の一回転で１２回の誘導と起動が発生して回転が始まる。図６は２基の誘導部の接続部分詳細図である。接続する両部分はシャフト支持柱に接着され、接続部分には異極の磁石を固着する。磁石は引力で引き合って固着して同時回転する。シャフト支持柱９があっても支障なく伝達や回転が可能である。
【発明の効果】
【００１１】      従来の発明は制作材料が簡単に安価にできない。本発明は簡単に大型化、小型化の制作ができる。出力上昇も可能。制作費用も割安に可能、実施することでエネルギーが無用、安全性が高い。
【図面の簡単な説明】
【００１２】
【図１】  本発明の正面立面図
【図２】  起動部と誘導部１の磁石配置状態と磁場の状態
【図３】  起動板磁石と誘導板磁石の配置状態図
【図４】  誘導部連結状態と誘導順序
【図５】  永久磁石使用回転機の斜視平面図
【図６】  誘導部ＡとＢの接続部分の詳細図
【図７】  起動部本体と誘導部分の省略側面図
【図８】  図１と２の磁極の方向
【発明を実施するための形態】
【００１３】      下段に基板を設け支持柱を４ヶ所設立、シャフトを固着、歯車を２ヶ所設置。歯車は３と４はネジ歯車であり、噛み合って接続される。上部に誘導板を設け、磁石を設置、縦列に並べる。磁石の中間をネジ歯車の左右に誘導板６を設置、１の磁石を誘導する。磁石を取り付け、回転を行う。回転は誘導歯車４と同時回転である。誘導板は２ヶ所あり同時回転する。
【実施例】
【００１４】      本発明の実施する材料は非磁石性体の材料を使用する。図５は実施試作する平面斜視図である。基板１１に支持柱９を設置固定する。起動板用支柱９の上部にシャフト設置用固定板１０を固定する。図１に表すように上部に円板を設置する。円板の周囲に永久磁石を配列固定する。数量は６個が適当である。偶数の必要あり。磁極方向は円周に縦列にする。以上の円板を起動板５と称する。起動板５は接続部９を介して歯車３と重ねて固定する。中芯にシャフト１２を貫通して垂直に設置する。固定板１０に固着、回転起動板５は基板に平行に設置する。なお起動板歯車３は誘導歯車４と噛み合い連動する。【００１５】      歯車３と歯車４はネジ歯車と称する。歯車部分は４５度で作られてある。起動歯車３は誘導歯車４と噛み合って接続回転する。誘導歯車４と接続する誘導板５も回転がつながる。誘導歯車４と誘導板６は接続部を介してシャフトで貫通して支持柱９に固着する。【００１６】      誘導板６の先端部に磁石２を設置固定する。誘導板６は正三角形であり、磁石の設置は３個である。磁極の方向は起動部中芯となる。誘導歯車４の歯数は起動歯車３の２分の１とする。誘導部分は２基設置する。誘導歯車４は１個であり、２基を接続して連動回転にする。【００１７】      図６は接続部分の詳細図である。磁石を利用、接続回転が可能、接続部の磁石配置状態を表す。図４、誘導部分６は２基から成り、配置状況の省略図である。誘導順序は２基同時回転であり数字次第で誘導が起きる。図３は磁極方向、磁石の配列状態の省略図、異極で引力が同極で反発が発生する。図７は左側面略図である。基板１１、支持柱９、歯車３、誘導板６、起動板シャフト補助台１４を表す。
【符号の説明】
【００１８】  １    起動磁石
２    誘導磁石
３    起動部歯車
４    誘導部ネジ歯車
５    起動板
６    誘導板
７    接続部
８    接続部
９    支持柱
１０  シャフト固定板
１１  基板
１２  シャフト
１３  接続マグネット
１４  シャフト補助台
１５  磁場の表示
Ｓ．Ｎ  磁極
【図１】
2018029462.tif 000003
【図２】
2018029462.tif 000004
【図３】
2018029462.tif 000005
【図４】
2018029462.tif 000006
【図５】
2018029462.tif 000007
【図６】
2018029462.tif 000008
【図７】
2018029462.tif 000009
【図８】
2018029462.tif 000010